(57)【特許請求の範囲】
【請求項１】
少なくとも片面が粘着剤を有する粘着面とされて樹幹に巻きつけられる可撓性シートを備えた虫捕獲具であって、
前記可撓性シートの粘着面と相対する樹皮との間に配置され、虫が通る隙間を形成するスペーサが、前記隙間より細い複数の可撓性長尺部材を結んで形成した有結節網の結節から成ることを特徴とする虫捕獲具。
【請求項２】
少なくとも片面が粘着剤を有する粘着面とされて樹幹に巻きつけられる可撓性シートを備えた虫捕獲具であって、
前記可撓性シートの粘着面と相対する樹皮との間に配置され、虫が通る隙間を形成するスペーサが、前記隙間より細い可撓性長尺部材に所定間隔で形成された複数の結び目から成ることを特徴とする虫捕獲具。
【請求項３】
少なくとも片面が粘着剤を有する粘着面とされて樹幹に巻きつけられる可撓性シートを備えた虫捕獲具であって、
前記可撓性シートの粘着面と相対する樹皮との間に配置され、虫が通る隙間を形成するスペーサが、前記隙間より細い可撓性長尺部材により所定間隔で連結された複数のスペーサ部材から成ることを特徴とする虫捕獲具。
【請求項４】
少なくとも片面が粘着剤を有する粘着面とされて樹幹に巻きつけられる可撓性シートを備えた虫捕獲具の取付方法であって、
虫が通る隙間より細い複数の可撓性長尺部材を結んで形成した有結節網の結節から成るスペーサが樹皮に当接するように前記有結節網を樹幹の所定位置に巻き付けて固定し、
前記粘着面が前記樹皮と相対するように前記可撓性シートを前記有結節網の上から前記樹幹に巻きつけることを特徴とする虫捕獲具の取付方法。
【請求項５】
少なくとも片面が粘着剤を有する粘着面とされて樹幹に巻きつけられる可撓性シートを備えた虫捕獲具の取付方法であって、
虫が通る隙間より細い可撓性長尺部材に所定間隔で形成された複数の結び目から成るスペーサが樹皮に当接するように前記可撓性長尺部材を所定のピッチで螺旋状に樹幹の所定位置に巻き付けて固定し、
前記粘着面が前記樹皮と相対するように前記可撓性シートを前記可撓性長尺部材の上から前記樹幹に巻きつけることを特徴とする虫捕獲具の取付方法。
【請求項６】
少なくとも片面が粘着剤を有する粘着面とされて樹幹に巻きつけられる可撓性シートを備えた虫捕獲具の取付方法であって、
虫が通る隙間より細い可撓性長尺部材により所定間隔で連結された複数のスペーサ部材が樹皮に当接するように前記可撓性長尺部材を所定のピッチで螺旋状に樹幹の所定位置に巻き付けて固定し、
前記粘着面が前記樹皮と相対するように前記可撓性シートを前記可撓性長尺部材の上から前記樹幹に巻きつけることを特徴とする虫捕獲具の取付方法。
【発明の詳細な説明】
【技術分野】
【０００１】
本発明は、カシノナガキクイムシ等の害虫が発生または棲息する樹幹の外周部に取付けて、害虫を捕獲・調査するための虫捕獲具及び虫捕獲具の取付方法に関する。
【背景技術】
【０００２】
従来より、害虫が発生または棲息する樹木から害虫を捕獲して駆除したり、調査したりするための虫捕獲具として、樹幹に巻き付ける粘着シートを用いた虫捕獲用シート（例えば、特許文献１、２参照）が知られている。
この様な虫捕獲用シートは、可撓性シートの片面ないし両面が粘着剤を有する粘着面とされた粘着シートと、該粘着シートの粘着面と相対する樹皮との間に配置される複数のスペーサとの組み合わせで構成されている。スペーサは、粘着シートの粘着面と樹皮との間に虫が入り込める隙間を形成することで、虫の捕獲効率を高めるものである。
【０００３】
そこで、複数のスペーサが予め所要間隔で粘着面に取り付けられた粘着シートを樹幹の外周に巻き付けたり、片面ないし両面に粘着剤を塗布した複数のスペーサを樹幹の外周に取付けた後に粘着シートを取り付けたりして、害虫を捕獲するための空間を確保するように構成されている。
【０００４】
ところで、ミズナラやコナラ、ウバメガシ、アラカシ等のナラ類、スダジイやツブラジイ等のシイ類では、カシノナガクキムシによる被害が問題となっている。この被害は、カシノナガキクイムシのオスが穿孔した坑道に、カシノナガキクイムシのメスがカビ（ナラ菌）を持ち込み、このカビが繁殖して通水組織を破壊することが原因と考えられている。
カシノナガクキムシは、多ければ数百匹の集団で１本の樹幹に穿孔し、雌１匹で多いときに数百個の産卵をする。そのため、カシノナガクキムシが穿孔した樹幹の穿入孔からは大量のフラス（木屑とフン）が発生する。
【先行技術文献】
【特許文献】
【０００５】
【特許文献１】実開昭６２−７０７７６号公報
【特許文献２】特開平７−２５０６０３号公報
【発明の概要】
【発明が解決しようとする課題】
【０００６】
しかしながら、上述した従来の粘着シートとスペーサとを組み合わせた虫捕獲用シートでは、カシノナガクキムシ等のように大量のフラスを発生させる虫を捕獲する場合には、フラスが大量にスペーサの上に積もって、粘着シートの粘着面にかかってしまい捕獲が十分にできないという問題があった。
そこで、樹幹の穿入孔からでたフラスが積もり難くなるように１個あたりのスペーサを小さくすると、適正な間隔を維持するのが難しくなったり、より多くのスペーサを粘着シートと樹皮との間に配置しなければならず、取付け作業が煩雑になってしまう。
【０００７】
従って、本発明はこのような状況に鑑みてなされたものであり、樹幹への取付け作業が簡単で、フラスによって虫の捕獲効率が低下することのない良好な虫捕獲具及び虫捕獲具の取付方法を提供することを目的とする。
【課題を解決するための手段】
【０００８】
前述した目的を達成するために、本発明に係る虫捕獲具は、下記（１）〜（４）を特徴としている。
（１）  少なくとも片面が粘着剤を有する粘着面とされて樹幹に巻きつけられる可撓性シートを備えた虫捕獲具であって、
前記可撓性シートの粘着面と相対する樹皮との間に配置され、虫が通る隙間を形成するスペーサが、前記隙間より細い複数の可撓性長尺部材を結んで形成した有結節網の結節から成ること。
【０００９】
（２）  少なくとも片面が粘着剤を有する粘着面とされて樹幹に巻きつけられる可撓性シートを備えた虫捕獲具であって、
前記可撓性シートの粘着面と相対する樹皮との間に配置され、虫が通る隙間を形成するスペーサが、前記隙間より細い可撓性長尺部材に所定間隔で形成された複数の結び目から成ること。
【００１０】
（３）  少なくとも片面が粘着剤を有する粘着面とされて樹幹に巻きつけられる可撓性シートを備えた虫捕獲具であって、
前記可撓性シートの粘着面と相対する樹皮との間に配置され、虫が通る隙間を形成するスペーサが、前記隙間より細い可撓性長尺部材により所定間隔で連結された複数のスペーサ部材から成ること。
【００１１】
（４）  少なくとも片面が粘着剤を有する粘着面とされて樹幹に巻きつけられる可撓性シートを備えた虫捕獲具であって、
前記粘着面には、該粘着面と樹皮との間に虫が通る隙間を形成するスペーサを取り付ける際の取付け位置及び取付け向き示すマークが設けられ、
前記スペーサは、少なくとも平面視で一部分が鋭角三角形状部分を有する外形形状であり、これにより前記可撓性シートを樹幹に巻き付ける際に前記鋭角三角形状部分が天面となるように前記マークに取付けられること。
【００１３】
上記（１）の構成の虫捕獲具によれば、所定の大きさの結節（結び目）を有する有結節網を樹幹に巻き付けた後、粘着面が樹皮と相対するように可撓性シートを有結節網の上から樹幹に巻き付けるだけで、可撓性シートの粘着面と樹皮との間に虫を捕獲するのに適した隙間を保つことができる。ここで適した隙間とは、穿孔害虫が樹幹内から外に這い出す時に粘着面に捕獲でき、フラスは粘着面に付着しない程度の隙間が形成された状態を意味する。
また、有結節網を構成する可撓性長尺部材自体は細く、結節も小さいので、カシノナガクキムシ等の虫が穿孔した樹幹の穿入孔からでた大量のフラスを結節（スペーサ）に積もり難くすることができる。
また、結節と結節の間隔や結節の大きさは、有結節網の網目の大きさや結び目の形を変えることで任意に変えることができるので、樹幹の太さや樹皮の形状に合わせた調整が容易であり、虫捕獲具の取付け作業が煩雑になることがない。
【００１４】
上記（２）の構成の虫捕獲具によれば、所定間隔で複数の結び目が形成された可撓性長尺部材を所定のピッチで螺旋状に樹幹に巻き付けた後、粘着面が樹皮と相対するように可撓性シートを可撓性長尺部材の上から樹幹に巻き付けるだけで、可撓性シートの粘着面と樹皮との間に虫を捕獲するのに適した隙間を保つことができる。
また、可撓性長尺部材自体は細く、結び目も小さいので、カシノナガクキムシ等の虫が穿孔した樹幹の穿入孔からでた大量のフラスを結び目（スペーサ）に積もり難くすることができる。
また、結び目の大きさや結び目と結び目の間隔は、結び目の間隔や結び方を変えたり、可撓性長尺部材を螺旋状に樹幹に巻き付ける際のピッチを変えたりすることで任意に変えることができるので、樹幹の太さや樹皮の形状に合わせた調整が容易であり、虫捕獲具の取付け作業が煩雑になることがない。
【００１５】
上記（３）の構成の虫捕獲具によれば、所定間隔で複数のスペーサ部材を連結した可撓性長尺部材を所定のピッチで螺旋状に樹幹に巻き付けた後、粘着面が樹皮と相対するように可撓性シートを可撓性長尺部材の上から樹幹に巻き付けるだけで、可撓性シートの粘着面と樹皮との間に虫を捕獲するのに適した隙間を保つことができる。
また、可撓性長尺部材自体は細く、スペーサ部材も小さくできるので、カシノナガクキムシ等の虫が穿孔した樹幹の穿入孔からでた大量のフラスをスペーサ部材（スペーサ）に積もり難くすることができる。即ち、スペーサ部材は予め可撓性長尺部材に連結されるので、１個あたりの大きさを小さくして数を増やしても虫捕獲具の取付け作業が煩雑になることがない。
【００１６】
上記（４）の構成の虫捕獲具によれば、スペーサは少なくとも平面視で一部分が鋭角三角形状部分を有する外形形状を有し、可撓性シートを樹幹に巻き付ける際に鋭角三角形状部分が天面となるように粘着面に取り付けられる。そこで、カシノナガクキムシ等の虫が穿孔した樹幹の穿入孔からでた大量のフラスはスペーサに積もり難くなる。即ち、１個あたりのスペーサを小さくして数量を増やす必要がないので、虫捕獲具の取付け作業が煩雑になることがない。また、粘着面には、スペーサを取り付ける際の取付け位置及び取付け向き示すマークが設けられているので、フラスが積もり難い鋭角三角形状部分が天面となるようにスペーサを確実に取り付けることができる。
【００１７】
前述した目的を達成するために、本発明に係る虫捕獲具の取付方法は、下記（５）〜（８）を特徴としている。
（５）  少なくとも片面が粘着剤を有する粘着面とされて樹幹に巻きつけられる可撓性シートを備えた虫捕獲具の取付方法であって、
虫が通る隙間より細い複数の可撓性長尺部材を結んで形成した有結節網の結節から成るスペーサが樹皮に当接するように前記有結節網を樹幹の所定位置に巻き付けて固定し、
前記粘着面が前記樹皮と相対するように前記可撓性シートを前記有結節網の上から前記樹幹に巻きつけること。
（６）  少なくとも片面が粘着剤を有する粘着面とされて樹幹に巻きつけられる可撓性シートを備えた虫捕獲具の取付方法であって、
虫が通る隙間より細い可撓性長尺部材に所定間隔で形成された複数の結び目から成るスペーサが樹皮に当接するように前記可撓性長尺部材を所定のピッチで螺旋状に樹幹の所定位置に巻き付けて固定し、
前記粘着面が前記樹皮と相対するように前記可撓性シートを前記可撓性長尺部材の上から前記樹幹に巻きつけること。
（７）  少なくとも片面が粘着剤を有する粘着面とされて樹幹に巻きつけられる可撓性シートを備えた虫捕獲具の取付方法であって、
虫が通る隙間より細い可撓性長尺部材により所定間隔で連結された複数のスペーサ部材が樹皮に当接するように前記可撓性長尺部材を所定のピッチで螺旋状に樹幹の所定位置に巻き付けて固定し、
前記粘着面が前記樹皮と相対するように前記可撓性シートを前記可撓性長尺部材の上から前記樹幹に巻きつけること。
（８）  少なくとも片面が粘着剤を有する粘着面とされて樹幹に巻きつけられる可撓性シートを備えた虫捕獲具の取付方法であって、
前記粘着面と樹皮との間に虫が通る隙間を形成するスペーサを取り付ける際の取付け位置及び取付け向き示すマークが設けられた前記粘着面に、少なくとも平面視で一部分が鋭角三角形状部分を有する外形形状であるスペーサを予め前記鋭角三角形状部分が天面となるように貼り付け、
前記スペーサが前記樹皮と相対するように前記可撓性シートを前記樹幹に巻きつけること。
上記（５）の構成の虫捕獲具の取付方法によれば、所定の大きさの結節を有する有結節網を樹幹に巻き付けた後、粘着面が樹皮と相対するように可撓性シートを有結節網の上から樹幹に巻き付けるだけで、可撓性シートの粘着面と樹皮との間に虫を捕獲するのに適した隙間を保つことができ、虫捕獲具の取付け作業が簡単になり、虫捕獲具を多くの樹幹に容易に取り付けることができる。
上記（６）の構成の虫捕獲具の取付方法によれば、所定間隔で複数の結び目が形成された可撓性長尺部材を所定のピッチで螺旋状に樹幹に巻き付けた後、粘着面が樹皮と相対するように可撓性シートを可撓性長尺部材の上から樹幹に巻き付けるだけで、可撓性シートの粘着面と樹皮との間に虫を捕獲するのに適した隙間を保つことができ、虫捕獲具の取付け作業が簡単になり、虫捕獲具を多くの樹幹に容易に取り付けることができる。
上記（７）の構成の虫捕獲具の取付方法によれば、所定間隔で複数のスペーサ部材を連結した可撓性長尺部材を所定のピッチで螺旋状に樹幹に巻き付けた後、粘着面が樹皮と相対するように可撓性シートを可撓性長尺部材の上から樹幹に巻き付けるだけで、可撓性シートの粘着面と樹皮との間に虫を捕獲するのに適した隙間を保つことができ、虫捕獲具の取付け作業が簡単になり、虫捕獲具を多くの樹幹に容易に取り付けることができる。
上記（８）の構成の虫捕獲具の取付方法によれば、少なくとも平面視で一部分が鋭角三角形状部分を有する外形形状のスペーサが、可撓性シートを樹幹に巻き付ける際には鋭角三角形状部分が天面となるように粘着面に取り付けられる。そこで、スペーサにはフラスが積もり難くなり、１個あたりのスペーサを小さくして数量を増やす必要がないので、虫捕獲具の取付け作業が簡単になり、虫捕獲具を多くの樹幹に容易に取り付けることができる。
【発明の効果】
【００１８】
本発明の虫捕獲具及び虫捕獲具の取付方法によれば、カシノナガクキムシ等の虫が穿孔した樹幹の孔からでた大量のフラスをスペーサに積もり難くすることができ、樹幹への取付け作業が簡単で、フラスによって虫の捕獲効率が低下することのない良好な虫捕獲具及び虫捕獲具の取付方法を提供できる。
【００１９】
以上、本発明について簡潔に説明した。さらに、以下に発明を実施するための形態（以下、「実施形態」という。）を添付の図面を参照して詳細に説明をする。
【図面の簡単な説明】
【００２０】
【図１】本発明の第１実施形態に係る虫捕獲具の概要を示す斜視図である。
【図２】図１に示した可撓性シートの粘着面を示す正面図である。
【図３】図１に示した可撓性シートの概要を示す斜視図である。
【図４】図１に示したスペーサの使用状態を示す斜視図である。
【図５】図１に示した虫捕獲具の使用状態を示す斜視図である。
【図６】図５に示した虫捕獲具の縦断面図である。
【図７】本発明の第２実施形態に係るスペーサの使用状態を示す斜視図である。
【図８】本発明の第２実施形態に係る虫捕獲具の使用状態を示す斜視図である。
【図９】本発明の第３実施形態に係るスペーサの部分斜視図である。
【図１０】本発明の第４実施形態に係る虫捕獲具の使用状態を示す部分破断斜視図である。
【図１１】図１０に示したスペーサの作用を説明する要部拡大斜視図である。
【図１２】図１０に示したスペーサの変形例を示す斜視図である。
【図１３】本発明の第５実施形態に係る虫捕獲具の使用状態を示す斜視図である。
【図１４】図１３に示した虫捕獲具の水平断面図である。
【図１５】本発明の第６実施形態に係る虫捕獲具の使用状態を示す斜視図である。
【図１６】図１５に示した虫捕獲具の水平断面図である。
【発明を実施するための形態】
【００２１】
以下、図面を参照して本発明の一実施形態を詳細に説明する。
図１に示すように、本発明の第１実施形態に係る虫捕獲具１は、可撓性シートである害虫捕獲調査シート３と有結節網２とで構成されている。
本第１実施形態に係る有結節網２は、可撓性長尺部材である線径約１ｍｍの糸２１を結んで形成した網であり、結び目である結節２３が約３ｍｍの直径を有している。図１に示した有結節網２は、網目の形状が方形の角目網地であるが、網目の形状が菱形の菱目網地を用いることもできる。糸２１は、例えばポリエチレン等の合成繊維からなる。
【００２２】
そして、有結節網２における各結節２３は、後述する害虫捕獲調査シート３を樹幹４０に固定した時に、害虫捕獲調査シート３の粘着面３１と相対する樹皮４１との間に配置され、虫を捕獲するのに適した隙間Ｓを形成するスペーサを構成する（図６参照）。そこで、各結節２３の直径は、虫（カシノナガクキムシ等の体長４〜５ｍｍの甲虫）が通れる程度から翅を広げられる程度の隙間Ｓを形成する１〜１０ｍｍの範囲が好ましい。尚、結節２３の直径は、糸２１の線径や結び目の形を変えることで、容易に調整することができる。
【００２３】
害虫捕獲調査シート３は、屋外における耐水性及び耐湿性を備えた紙や布、不織布、合成樹脂フィルム、生分解性プラスチックなどから成る長方形状の可撓性シート材である。良好な生産性や処分時の負担軽減などの点では紙製が好ましく、その場合はポリエチレンやポリプロピレン、ＰＥＴ（ポリエチレンテレフタレート）などでラミネート加工されて強度を増したものが好ましい。
害虫捕獲調査シート３の外面３ａには、図１に示すように、設置状況や設置者、試料番号などを記入するための記入欄３３や、害虫捕獲調査シート３を樹幹に固定する際にタッカー（鋲打ち機）でステープル（針）を打つ位置を示す固定位置マーク３５が表示されている。なお、第三者に知らせるために、「きくい虫調査シート」や「調査中  はがさないでください」等の用途表示を施すこともできる。
【００２４】
害虫捕獲調査シート３の内面３ｂには、図２に示すように、外縁部から所定の範囲を除き粘着剤が塗布された粘着面（図２に斜線で示した部分）３１が形成されている。粘着剤としては、圧力をかけなくとも接触するだけで虫が付着し、野外で使用しても粘着性を３ヶ月以上の長期間維持することができる接着剤を用いることがよい。粘着剤が塗布された層の厚みは５０〜４００μｍが好ましい。粘着剤が塗布された層の厚みは、薄すぎれば十分な捕獲効力とその持続性が得られず、厚すぎれば粘着剤のだれが生じたり、樹幹に巻き付け難くなり、コスト高となるなどの問題がある。
また、害虫捕獲調査シート３が紙製の場合、粘着剤が徐々に紙に吸収されて、表面から減少する場合がある。その際は、ラミネート加工された紙のラミネート面を粘着面とすれば、粘着剤の紙への吸収が防がれ、粘着性を持続させることができる。
【００２５】
粘着面３１の下層には、周囲に目盛を有する２０個のマス目３６と、後述するスペーサ６０を取り付ける際の取付け位置及び取付け向き示す複数のマーク３７が設けられている。マス目３６が粘着面３１の下層に設けられることにより、虫の捕獲数をマス目毎に計測することができる。尚、粘着剤は、下層のマス目３６を目視可能とするため、透明又は半透明の接着剤が望ましい。
内面３ｂの上縁部中央には、害虫捕獲調査シート３を樹幹に固定する際の設置方位を統一するため、方角や斜面方向を示す方位マーク（例えば、「東」や「谷」）３２が設けられている。更に、粘着面３１の周囲には、外面３ａと同様に記入欄３３や固定位置マーク３５が表示されている。
【００２６】
尚、図３に示すように、販売・搬送される際に不所望の粘着が生じないように、使用前の害虫捕獲調査シート３の粘着面３１には、離型紙３９が貼着されている。そして、害虫捕獲調査シート３を使用する際には、長手方向中央に形成されたミシン目３８を破断しながら離型紙３９を剥がして粘着面３１を露呈させる。ここで、離型紙３９をミシン目３８で二分割しながら剥がすことで、離型紙３９を剥がすために必要な力を分割しない場合よりも小さくできる。離型紙３９を剥がし易くするため、ミシン目３８に対応する内面３ｂの長手方向中央には、粘着面３１が形成されていない。
【００２７】
次に、本第１実施形態に係る虫捕獲具１の使用方法について説明する。虫捕獲具１は、地表から適当な高さ（例えば、１ｍ〜４ｍ）で樹幹４０の樹皮４１に取り付けて使用される。
先ず、図４に示すように、有結節網２を樹幹４０の所定位置に巻き付け、結節２３が樹皮４１に当接するように固定する。糸２１を結んで形成した有結節網２は、可撓性を有しているので、樹幹４０の樹皮４１に沿って容易に巻き付けることができ、樹幹４０に対する固定も容易である。有結節網２の固定手段としては、留め具や留めバンド、タッカーなど種々の固定手段を用いることができる。
【００２８】
次に、離型紙３９を剥がした後、図５に示すように、内面３ｂの粘着面３１が樹皮４１と相対するように害虫捕獲調査シート３を有結節網２の上から樹幹４０に巻き付ける。この際、害虫捕獲調査シート３は、内面３ｂに設けた方位マーク３２が、設置方角である例えば「東」の方位や、斜面の「谷」側となるようにして巻き付けられる。
【００２９】
そして、外面３ａに表示されている固定位置マーク３５にタッカーでステープル４５を打ち付け、害虫捕獲調査シート３を樹幹４０に固定することによって、虫捕獲具１の取り付けが完了する。可撓性シート材から成る害虫捕獲調査シート３は、可撓性を有しているので、樹幹４０の樹皮４１及び有結節網２に沿って容易に巻き付けることができ、樹幹４０に対する固定も容易である。
【００３０】
この様に樹幹４０に固定された虫捕獲具１は、有結節網２の上から巻き付けられた害虫捕獲調査シート３の粘着面３１が有結節網２の結節２３に付着し、有結節網２の網目である複数の結節２３の間隔部には、図６に示すように、粘着面３１と樹皮４１との間に虫を捕獲するのに適した隙間Ｓが形成される。
【００３１】
以上のように樹幹４０に固定された虫捕獲具１を放置すると、樹幹４０の穿入孔内から出てきたカシノナガキクイムシ等の害虫が、害虫捕獲調査シート３の粘着面３１に付着し、捕獲される。また、上記隙間Ｓを通ろうとして粘着面３１と樹皮４１との間に入り込んだ害虫も、粘着面３１に付着して捕獲される。
この様に適当な期間（通常は数ヶ月）樹幹４０に固定して放置された虫捕獲具１は、適当な時期に害虫捕獲調査シート３を外して、捕獲害虫を観察したり、或いはマス目毎に捕獲数を計測したりして、調査が行われる。
カシノナガキクイムシにおいて具体例を挙げれば、樹幹からカシノナガキクイムシが脱出する時期は、本州で６月〜１１月頃の約半年におよぶことから、害虫捕獲調査シートは脱出間近の５月頃に設置し、１１月頃に回収するのが好ましい。
【００３２】
上述したように、本第１実施形態に係る虫捕獲具１によれば、所定の大きさの結節２３を有する有結節網２を樹幹４０に巻き付けた後、粘着面３１が樹皮４１と相対するように害虫捕獲調査シート３を有結節網２の上から樹幹４０に巻き付けるだけで、害虫捕獲調査シート３の粘着面３１と樹皮４１との間に虫を捕獲するのに適した隙間Ｓを容易に形成することができる。そこで、樹幹４０への取付け作業が簡単になり、虫捕獲具１を多くの樹幹４０に容易に取り付けることができる。
【００３３】
また、有結節網２を構成する糸２１自体は細く、結節２３も小さいので、カシノナガクキムシ等の虫が穿孔した樹幹の穿入孔からでた大量のフラスを結節２３に積もり難くすることができ、フラスは地上に落下する。そこで、有結節網２の上に積もったフラスによって捕獲に有効な粘着面３１が減少することは無く、虫捕獲具１は虫の捕獲効率が低下し難い。
また、結節２３と結節２３の間隔や結節２３の大きさは、有結節網２の網目の大きさや結び目の形を変えることで任意に変えることができるので、樹幹４０の太さや樹皮４１の形状に合わせた調整が容易であり、虫捕獲具１の取付け作業が煩雑になることがない。
【００３４】
図７及び図８は、本発明の第２実施形態に係るスペーサ及び虫捕獲具の使用状態を示す斜視図である。尚、上記第１実施形態に係る虫捕獲具１と同様の構成部材については、同符号を付して説明を省略する。
本第２実施形態に係る虫捕獲具１１は、可撓性シートである害虫捕獲調査シート３と可撓性長尺部材１２とで構成されている。
本第２実施形態に係る可撓性長尺部材１２は、線径約１ｍｍの糸１５に所定間隔で複数の結び目１７を形成した紐であり、結び目１７が約３ｍｍの直径を有している。糸１５は、例えばポリエチレン等の合成繊維からなる。
【００３５】
そして、可撓性長尺部材１２における各結び目１７は、害虫捕獲調査シート３を樹幹４０に固定した時に、害虫捕獲調査シート３の粘着面３１と相対する樹皮４１との間に配置され、虫を捕獲するのに適した隙間Ｓを形成するスペーサを構成する。そこで、各結び目１７の直径は、虫（カシノナガクキムシ等の体長４〜５ｍｍの甲虫）が通れる程度から翅を広げられる程度の隙間Ｓを形成する１〜１０ｍｍの範囲が好ましい。尚、結び目１７の直径は、糸１５の線径や結び目の形を変えることで、容易に調整することができる。
【００３６】
次に、本第２実施形態に係る虫捕獲具１１の使用方法について説明する。
先ず、図７に示すように、可撓性長尺部材１２を所定のピッチＰで螺旋状に樹幹４０の所定位置に巻き付け、結び目１７が樹皮４１に当接するように固定する。糸１５から成る可撓性長尺部材１２は、可撓性を有しているので、樹幹４０の樹皮４１に沿って容易に巻き付けることができ、樹幹４０に対する固定も容易である。可撓性長尺部材１２の固定手段としては、留め具や留めバンド、タッカーなど種々の固定手段を用いることができ、両端部をそれぞれ結び付けても良い。
【００３７】
次に、上記第１実施形態に係る虫捕獲具１と同様に、離型紙３９を剥がした後、図８に示すように、内面３ｂの粘着面３１が樹皮４１と相対するように害虫捕獲調査シート３を可撓性長尺部材１２の上から樹幹４０に巻き付ける。
そして、外面３ａに表示されている固定位置マーク３５にタッカーでステープル４５を打ち付け、害虫捕獲調査シート３を樹幹４０に固定することによって、虫捕獲具１１の取り付けが完了する。
【００３８】
この様に樹幹４０に固定された虫捕獲具１１は、可撓性長尺部材１２の上から巻き付けられた害虫捕獲調査シート３の粘着面３１が可撓性長尺部材１２の結び目１７に付着し、複数の結び目１７の間隔部には、粘着面３１と樹皮４１との間に虫を捕獲するのに適した隙間Ｓが形成される。
【００３９】
上述したように、本第２実施形態に係る虫捕獲具１１によれば、所定間隔で複数の結び目１７が形成された可撓性長尺部材１２を所定のピッチＰで螺旋状に樹幹４０に巻き付けた後、粘着面３１が樹皮４１と相対するように害虫捕獲調査シート３を可撓性長尺部材１２の上から樹幹４０に巻き付けるだけで、害虫捕獲調査シート３の粘着面３１と樹皮４１との間に虫を捕獲するのに適した隙間Ｓを容易に形成することができる。そこで、樹幹４０への取付け作業が簡単になり、虫捕獲具１１を多くの樹幹４０に容易に取り付けることができる。
【００４０】
また、可撓性長尺部材１２の糸１５自体は細く、結び目１７も小さいので、カシノナガクキムシ等の虫が穿孔した樹幹の穿入孔からでた大量のフラスを結び目１７に積もり難くすることができ、フラスは地上に落下する。そこで、可撓性長尺部材１２の上に積もったフラスによって捕獲に有効な粘着面３１が減少することは無く、虫捕獲具１１は虫の捕獲効率が低下し難い。
【００４１】
また、結び目１７の大きさや結び目１７と結び目１７の間隔は、結び目１７の間隔や結び方を変えたり、可撓性長尺部材１２を螺旋状に樹幹４０に巻き付ける際のピッチＰを変えたりすることで任意に変えることができるので、樹幹４０の太さや樹皮４１の形状に合わせた調整が容易であり、虫捕獲具１１の取付け作業が煩雑になることがない。
【００４２】
図９は、本発明の第３実施形態に係るスペーサの部分斜視図である。本第３実施形態に係る虫捕獲具は、上記第２実施形態に係る可撓性長尺部材１２に換えて、スペーサとして可撓性長尺部材５０を用いることで構成される。
【００４３】
本第３実施形態に係る可撓性長尺部材５０は、図９に示すように、虫を捕獲するのに適した隙間Ｓより細い線径約１ｍｍの糸５１により所定間隔で連結された複数のスペーサ部材５２により構成されている。糸５１は、例えばポリエチレン等の合成繊維からなり、スペーサ部材５２は、例えば発泡ポリエチレン等の合成樹脂から成る。
【００４４】
そして、可撓性長尺部材５０におけるスペーサ部材５２は、平面視で一部分が鋭角三角形状部分を有する三角形の外形形状を有した三角柱とされており、害虫捕獲調査シート３を樹幹４０に固定した時に、害虫捕獲調査シート３の粘着面３１と相対する樹皮４１との間に配置され、虫を捕獲するのに適した隙間Ｓを形成するスペーサを構成する。そこで、各スペーサ部材５２の厚み（三角柱の高さ）は、虫（カシノナガクキムシ等の体長４〜５ｍｍの甲虫）が通れる程度から翅を広げられる程度の隙間Ｓを形成する１〜１０ｍｍの範囲が好ましい。また、これらスペーサ部材５２は、図９に示したように、平面視での鋭角三角形状部分（頂部）５２ａが同一方向（図中上方）となるように糸５１により連結されている。
【００４５】
従って、複数のスペーサ部材５２の鋭角三角形状部分５２ａが上方を向くようにして可撓性長尺部材５０を所定のピッチで螺旋状に樹幹４０に巻き付けた後、粘着面３１が樹皮４１と相対するように害虫捕獲調査シート３を可撓性長尺部材５０の上から樹幹４０に巻き付けるだけで、害虫捕獲調査シート３の粘着面３１と樹皮４１との間に虫を捕獲するのに適した隙間Ｓを容易に形成することができる。
その結果、上記第２実施形態に係る虫捕獲具１１と同様の作用効果を得ることができる。
【００４６】
尚、可撓性長尺部材５０の糸５１自体は細く、スペーサ部材５２の鋭角三角形状部分５２ａが天面となるように取付けることで、カシノナガクキムシ等の虫が穿孔した樹幹４０の穿入孔からでた大量のフラスをスペーサ部材５２に積もり難くすることができ、フラスはスペーサ部材５２の傾斜面を滑って地上に落下する。そこで、可撓性長尺部材５０の上に積もったフラスによって捕獲に有効な粘着面３１が減少することは無く、本第３実施形態に係る虫捕獲具も虫の捕獲効率が低下し難い。
【００４７】
また、スペーサ部材５２は予め糸５１に連結されるので、１個あたりの大きさを小さくして数を増やしても虫捕獲具の取付け作業が煩雑になることがない。従って、スペーサ部材を小さくし、外形形状に関わらずフラスを積もり難くすることもできる。
【００４８】
図１０は、本発明の第４実施形態に係る虫捕獲具の使用状態を示す部分破断斜視図である。尚、上記第１実施形態に係る虫捕獲具１と同様の構成部材については、同符号を付して説明を省略する。
本第４実施形態に係る虫捕獲具６１は、害虫捕獲調査シート３とスペーサ６０とで構成されている。
【００４９】
本第４実施形態に係るスペーサ６０は、少なくとも平面視で一部分が鋭角三角形状部分６０ａを有する三角形の外形形状を有した三角柱とされており、害虫捕獲調査シート３を樹幹４０に固定する際に、害虫捕獲調査シート３の粘着面３１に予め貼り付けられ、虫を捕獲するのに適した隙間Ｓを形成する。そこで、各スペーサ６０の厚み（三角柱の高さ）は、虫（カシノナガクキムシ等の体長４〜５ｍｍの甲虫）が通れる程度から翅を広げられる程度の隙間Ｓを形成する１〜１０ｍｍの範囲が好ましい。スペーサ６０は、例えば発泡ポリエチレン等の合成樹脂から成る。
【００５０】
スペーサ６０は、図１１に示すように、害虫捕獲調査シート３を樹幹４０に巻き付ける際に平面視での鋭角三角形状部分６０ａが天面となるように粘着面３１に取り付けられることで、カシノナガクキムシ等の虫が穿孔した樹幹４０の穿入孔７０からでた大量のフラス７１をスペーサ６０に積もり難くすることができ、フラス７１はスペーサ６０の傾斜面を滑って地上に落下する。そこで、スペーサ６０の上に積もったフラス７１によって捕獲に有効な粘着面３１が減少することは無く、本第４実施形態に係る虫捕獲具６１も虫の捕獲効率が低下し難い。
【００５１】
そこで、カシノナガクキムシ等の虫が穿孔した樹幹の穿入孔７０からでた大量のフラス７１はスペーサ６０に積もり難くなる。即ち、１個あたりのスペーサ６０を小さくして数量を増やす必要がないので、虫捕獲具６１の取付け作業が煩雑になることがない。また、粘着面３１には、図２に示したように、スペーサ６０を取り付ける際の取付け位置及び取付け向き示すマーク３７が設けられているので、フラス７１が積もり難い鋭角三角形状部分６０ａが天面となるようにスペーサ６０を確実に取り付けることができる。
【００５２】
従って、粘着面３１に鋭角三角形状部分６０ａが天面となるようにして予め複数のスペーサ６０が貼り付けられた害虫捕獲調査シート３を樹幹４０に巻き付けるだけで、害虫捕獲調査シート３の粘着面３１と樹皮４１との間に虫を捕獲するのに適した隙間Ｓを容易に形成することができる。その結果、上記第１実施形態に係る虫捕獲具１と同様の作用効果を得ることができる。
【００５３】
尚、本第４実施形態に係るスペーサの形状は、少なくとも平面視で一部分が鋭角三角形状部分を有するフラス７１が積もり難い外形形状であれば、上記スペーサ６０の形状に限定されるものではなく、種々の外形形状とすることができる。
図１２は、図１０に示したスペーサ６０の変形例を示す斜視図である。
図１２（ａ）に示したスペーサ８０は、平面視で上部分が鋭角三角形状部分８０ａを有する菱形の外形形状を有した四角柱とされており、平面視での鋭角三角形状部分８０ａが天面となるように粘着面３１に取り付けられる。
図１２（ｂ）に示したスペーサ９０は、平面視で上部分が鋭角三角形状部分９０ａを有する扇形の外形形状を有した柱状とされており、平面視での鋭角三角形状部分９０ａが天面となるように粘着面３１に取り付けられる。
【００５４】
図１３及び図１４は、本発明の第５実施形態に係る虫捕獲具の使用状態を示す斜視図及び水平断面図である。尚、上記第１実施形態に係る虫捕獲具１と同様の構成部材については、同符号を付して説明を省略する。
本第５実施形態に係る虫捕獲具８１は、害虫捕獲調査シート３とスペーサ２２とで構成されている。
【００５５】
本第５実施形態に係るスペーサ２２は、図１３及び図１４に示すように、樹幹４０の周囲に所定間隔で略鉛直方向（例えば±３０度程度の傾斜範囲を含む）に配置された複数（本実施形態では４本）の長尺状スペーサ部材２４により構成されている。長尺状スペーサ部材２４は、例えば合成樹脂や金属等からなる剛性を有する丸棒状の部材である。長尺状スペーサ部材２４は、下端を地面に刺すことで、樹皮４１との間に所定間隔を有した状態で略鉛直方向に向かって設置される。勿論、長尺状スペーサ部材２４の断面形状は、円形に限らず楕円形や多角形等の種々の断面形状を採りうる。また、長尺状スペーサ部材２４は、長手方向に沿って所定間隔で節を有する外形状とすることもできる。
【００５６】
そして、これら長尺状スペーサ部材２４は、害虫捕獲調査シート３を樹幹４０に固定した時に、害虫捕獲調査シート３の粘着面３１と相対する樹皮４１との間に配置され、虫を捕獲するのに適した１〜１０ｍｍの範囲に隙間Ｓを形成する（図１４参照）。尚、粘着面３１と樹皮４１との間隔は、長尺状スペーサ部材２４の直径や本数を変えることで、容易に調整することができる。
【００５７】
次に、本第５実施形態に係る虫捕獲具８１の使用方法について説明する。
先ず、下端を地面に突き刺し、樹皮４１との間に所定間隔を有した状態で上端２４ａが略鉛直方向に向かうように、各長尺状スペーサ部材２４を樹幹４０の周囲に所定間隔で配置する。剛性を有する丸棒から成る長尺状スペーサ部材２４は、樹幹４０の周囲の地面に容易に突き刺すことができ、樹幹４０に対する固定も容易である。長尺状スペーサ部材２４の固定手段としては、各長尺状スペーサ部材２４に直接結び付けたり、各長尺状スペーサ部材２４の直径方向（短手方向）に形成した貫通孔を挿通させたりした紐等を樹幹４０の周囲に巻き付けるなど種々の固定手段を用いることができる。
【００５８】
次に、上記第１実施形態に係る虫捕獲具１と同様に、離型紙３９を剥がした後、図１３に示すように、内面３ｂの粘着面３１が樹皮４１と相対し、長尺状スペーサ部材２４の上端２４ａが露呈するように害虫捕獲調査シート３を長尺状スペーサ部材２４の上から樹幹４０に巻き付ける。
そして、外面３ａに表示されている固定位置マーク３５にタッカーでステープル４５を打ち付け、害虫捕獲調査シート３を樹幹４０に固定することによって、虫捕獲具８１の取り付けが完了する。
【００５９】
この様に樹幹４０に固定された虫捕獲具８１は、図１４に示すように、長尺状スペーサ部材２４の上から巻き付けられた害虫捕獲調査シート３の粘着面３１が長尺状スペーサ部材２４に付着し、隣接する複数の長尺状スペーサ部材２４の間隔部には、粘着面３１と樹皮４１との間に虫を捕獲するのに適した範囲の隙間Ｓが形成される。
【００６０】
上述したように、本第５実施形態に係る虫捕獲具８１によれば、複数の長尺状スペーサ部材２４を樹幹４０の周囲に所定間隔で略鉛直方向に配置した後、粘着面３１が樹皮４１と相対し、長尺状スペーサ部材２４の上端２４ａが露呈するように害虫捕獲調査シート３を長尺状スペーサ部材２４の上から樹幹４０に巻き付けるだけで、害虫捕獲調査シート３の粘着面３１と樹皮４１との間に虫を捕獲するのに適した範囲の隙間Ｓを保つことができる。
【００６１】
また、スペーサ２２は、長尺状スペーサ部材２４の上端２４ａが害虫捕獲調査シート３の上端縁より突出した上端縁付近に位置し、略鉛直方向に伸びるように配置される。そこで、カシノナガクキムシ等の虫が穿孔した樹幹４０の穿入孔からでた大量のフラスを長尺状スペーサ部材２４に積もり難くすることができ、フラスは地上に落下する。そこで、長尺状スペーサ部材２４の上に積もったフラスによって捕獲に有効な粘着面３１が減少することは無く、虫捕獲具８１は虫の捕獲効率が低下し難い。尚、長尺状スペーサ部材２４の上端２４ａは、害虫捕獲調査シート３の粘着面３１と樹皮４１との間に隙間Ｓを形成できれば、害虫捕獲調査シート３の上端縁と同じ或いは若干引っ込んだ位置でもよい。
【００６２】
また、害虫捕獲調査シート３の粘着面３１と樹皮４１との間隔は、長尺状スペーサ部材２４の太さを変えたり、樹幹４０の周囲に配置する長尺状スペーサ部材２４の本数を変えたりすることで任意に変えることができるので、樹幹４０の太さや樹皮４１の形状に合わせた調整が容易であり、虫捕獲具８１の取付け作業が煩雑になることがない。
【００６３】
図１５及び図１６は、本発明の第６実施形態に係る虫捕獲具の使用状態を示す斜視図及び水平断面図である。尚、上記第１実施形態に係る虫捕獲具１と同様の構成部材については、同符号を付して説明を省略する。
本第６実施形態に係る虫捕獲具９１は、害虫捕獲調査シート３とスペーサ２６とで構成されている。
【００６４】
本第６実施形態に係るスペーサ２６は、図１５及び図１６に示すように、樹幹４０の周囲に所定間隔で略鉛直方向に配置された複数（本実施形態では３本）の長尺状スペーサ部材２８により構成されている。長尺状スペーサ部材２８は、例えば合成樹脂や天然繊維等からなる可撓性を有する紐状の部材である。長尺状スペーサ部材２８は、上端部をステープル４５で樹幹４０に固定した後、僅かな螺旋状（例えばリード角が約６０度以上）に巻き付けた下端部もステープル４５で樹幹４０に固定することで、樹皮４１との間に所定間隔を有した状態で略鉛直方向に向かって設置される。
【００６５】
そして、これら長尺状スペーサ部材２８は、害虫捕獲調査シート３を樹幹４０に固定した時に、害虫捕獲調査シート３の粘着面３１と相対する樹皮４１との間に配置され、虫を捕獲するのに適した１〜１０ｍｍの範囲に隙間Ｓを形成する（図１６参照）。尚、粘着面３１と樹皮４１との間隔は、長尺状スペーサ部材２８の直径や本数を変えることで、容易に調整することができる。
【００６６】
次に、本第６実施形態に係る虫捕獲具９１の使用方法について説明する。
先ず、上端部をステープル４５で樹幹４０に固定し、僅かな螺旋状に巻き付けた下端部もステープル４５で樹幹４０に固定することで、各長尺状スペーサ部材２８を樹幹４０の周囲に所定間隔で略鉛直方向に配置する。可撓性を有する紐から成る長尺状スペーサ部材２８は、樹幹４０の樹皮４１に沿って容易に巻き付けることができ、樹幹４０に対する固定も容易である。長尺状スペーサ部材２８の固定手段としては、タッカーに限らず留め具や留めバンドなど種々の固定手段を用いることができる。
尚、長尺状スペーサ部材２８は、螺旋状に巻き付けずに下端部を鉛直方向に垂らした状態でもよいが、僅かに螺旋状に巻き付けることで、粘着面３１と樹皮４１との間に隙間Ｓを形成する為に必要な長尺状スペーサ部材２８の本数を最小とすることができる。
【００６７】
次に、上記第１実施形態に係る虫捕獲具１と同様に、離型紙３９を剥がした後、図１５に示すように、内面３ｂの粘着面３１が樹皮４１と相対し、長尺状スペーサ部材２８の上端２８ａが露呈するように害虫捕獲調査シート３を長尺状スペーサ部材２８の上から樹幹４０に巻き付ける。
そして、外面３ａに表示されている固定位置マーク３５にタッカーでステープル４５を打ち付け、害虫捕獲調査シート３を樹幹４０に固定することによって、虫捕獲具９１の取り付けが完了する。
【００６８】
この様に樹幹４０に固定された虫捕獲具９１は、図１６に示すように、長尺状スペーサ部材２８の上から巻き付けられた害虫捕獲調査シート３の粘着面３１が長尺状スペーサ部材２８に付着し、複数の長尺状スペーサ部材２８の間隔部には、粘着面３１と樹皮４１との間に虫を捕獲するのに適した範囲の隙間Ｓが形成される。
【００６９】
上述したように、本第６実施形態に係る虫捕獲具９１によれば、複数の長尺状スペーサ部材２８を樹幹４０の周囲に所定間隔で略鉛直方向に配置した後、粘着面３１が樹皮４１と相対し、長尺状スペーサ部材２８の上端２８ａが露呈するように害虫捕獲調査シート３を長尺状スペーサ部材２８の上から樹幹４０に巻き付けるだけで、害虫捕獲調査シート３の粘着面３１と樹皮４１との間に虫を捕獲するのに適した範囲の隙間Ｓを保つことができる。
【００７０】
また、スペーサ２６は、長尺状スペーサ部材２８の上端２８ａが害虫捕獲調査シート３の上端縁より突出した上端縁付近に位置し、略鉛直方向に伸びる僅かな螺旋状に巻き付けられて配置される。そこで、カシノナガクキムシ等の虫が穿孔した樹幹４０の穿入孔からでた大量のフラスを長尺状スペーサ部材２８に積もり難くすることができ、フラスは地上に落下する。そこで、長尺状スペーサ部材２８の上に積もったフラスによって捕獲に有効な粘着面３１が減少することは無く、虫捕獲具９１は虫の捕獲効率が低下し難い。尚、長尺状スペーサ部材２８の上端２８ａは、害虫捕獲調査シート３の粘着面３１と樹皮４１との間に隙間Ｓを形成できれば、害虫捕獲調査シート３の上端縁と同じ或いは若干引っ込んだ位置でもよい。また、長尺状スペーサ部材２８の下端２８ｂの位置も、該長尺状スペーサ部材２８が害虫捕獲調査シート３の粘着面３１と樹皮４１との間に隙間Ｓを形成できる位置であれば、害虫捕獲調査シート３の下端縁と同じ或いは若干引っ込んだ位置でもよい。
【００７１】
また、害虫捕獲調査シート３の粘着面３１と樹皮４１との間隔は、長尺状スペーサ部材２８の太さを変えたり、樹幹４０の周囲に配置する長尺状スペーサ部材２８の本数を変えたりすることで任意に変えることができるので、樹幹４０の太さや樹皮４１の形状に合わせた調整が容易であり、虫捕獲具９１の取付け作業が煩雑になることがない。
【００７２】
尚、本発明の虫捕獲具に係る可撓性シート、有結節網、結節、可撓性長尺部材、結び目及び長尺状スペーサ部材等の構成部材は、上記実施形態の構成に限定されるものではなく、本発明の趣旨に基づいて種々の形態を採りうる。
【００７３】
上記実施形態に係る長尺状スペーサ部材２２，２６では、害虫捕獲調査シート３の上下端縁を貫通し、略鉛直方向に伸びるように配置された例を示したが、本発明の長尺状スペーサ部材は少なくとも上端が可撓性シートの上端縁から突出していればよく、下端が可撓性シートの下端縁から突出していなくても良い。
また、上記実施形態おいては、予め所定の長方形状にカットされた害虫捕獲調査シート３を用いたが、ロール型の連続した可撓性シートを使用時に所定位置でカットして使用するようにしても良い。
【００７４】
また、上記実施形態においては、虫を捕獲して調査する虫捕獲具を例に説明したが、本発明の虫捕獲具は害虫を捕獲して駆除する害虫捕獲具として用いることができることは勿論である。
また、害虫捕獲調査シート３は、粘着面３１を外側に向けて樹幹４０に直接固定して用いることもでき、内外両面に粘着面３１を設けることもできる。
【符号の説明】
【００７５】
１  虫捕獲具
２  有結節網
３  害虫捕獲調査シート
２１  糸
２３  結節
３１  粘着面
３９  離型紙
Ｓ  隙間
【図１】
0005795190.tif 000002
【図２】
0005795190.tif 000003
【図３】
0005795190.tif 000004
【図４】
0005795190.tif 000005
【図５】
0005795190.tif 000006
【図６】
0005795190.tif 000007
【図７】
0005795190.tif 000008
【図８】
0005795190.tif 000009
【図９】
0005795190.tif 000010
【図１０】
0005795190.tif 000011
【図１１】
0005795190.tif 000012
【図１２】
0005795190.tif 000013
【図１３】
0005795190.tif 000014
【図１４】
0005795190.tif 000015
【図１５】
0005795190.tif 000016
【図１６】
0005795190.tif 000017